(57)【要約】【課題】安価に製造することができる携帯電子機器用電池を提供する。【解決手段】携帯電子機器２の内蔵電池を充電する携帯電子機器用電池であって、００６Ｐ型乾電池に内蔵される多くとも５つの電池セル６からなる給電源７と、その給電源７を収容すると共に００６Ｐ型乾電池に使用されるケース８と、前記給電源７が収容されたケース８内の残りの空間に収容され、この給電源７から内蔵電池に供給される電圧を内蔵電池の許容電圧に調節する電圧調節部９と、を備える。【選択図】　　　　図２
2004014496.tif 000002
【特許請求の範囲】
【請求項１】
携帯電子機器の内蔵電池を充電する携帯電子機器用電池であって、００６Ｐ型乾電池に内蔵される多くとも５つの電池セルからなる給電源と、その給電源を収容すると共に００６Ｐ型乾電池に使用されているのとほぼ同一のケースと、前記給電源が収容されたケース内の残りの空間に収容され、該給電源から前記内蔵電池に供給される電圧を前記内蔵電池の許容電圧に調節する電圧調節部と、を備えたことを特徴とする携帯電子機器用電池。
【請求項２】
前記電池セルが乾電池型セルであり、この乾電池型セルが５つ直列接続されて前記給電源が構成される請求項１に記載の携帯電子機器用電池。
【請求項３】
前記電圧調節部が、前記給電源からの電圧を所定レベル以下にするレギュレータを有する請求項１又は２に記載の携帯電子機器用電池。
【請求項４】
前記ケースが金属製ケースである請求項１乃至３のいずれか１項に記載の携帯電子機器用電池。
【請求項５】
前記ケースのカバーに設けられ、前記携帯電子機器に嵌合されて電気的に接続され、その内蔵電池に前記電圧調節部で調節された電圧を供給する接続コネクタを備え、該接続コネクタに、当該接続コネクタの前記携帯電子機器からの抜出を抑制する抜出抑制部を一体的に設けた請求項１乃至４のいずれか１項に記載の携帯電子機器用電池。
【発明の詳細な説明】
【０００１】
【発明の属する技術分野】
本発明は、携帯電話等の携帯電子機器の内蔵電池を充電する携帯電子機器用電池に関するものである。
【０００２】
【従来の技術】
携帯電子機器例えば携帯電話は、電源としてリチウム電池やニッカド電池などの二次電池である充電可能な電池（バッテリー）を内蔵している。電池切れの場合には、通常、付属している充電器を用いて商用電源（ＡＣ電源）等から内蔵電池の充電を行っている。
【０００３】
付属等の充電器は、携帯することを前提するものではなく家庭等の所定の場所に置いて使用するものであり、携帯に適さず、しかも、商用電源がない場所では役に立たない。このため、内蔵電池の残量が少なくなると予め充電器を用いて充電を行なう必要があるが、常に残量を気にするわけではなく、残量が少ない状態や電池切れの状態のまま外出することもあり、外出時、電池切れが起こり携帯電話を使用することができなくなってしまうことがある。特に、近年、内蔵電池は、１回の充電で長時間の使用が可能になってきているので、残量を気にする頻度が少なくなり、電池切れを起こすことが多くなると思われる。
【０００４】
このため、外出先でも簡単に内蔵電池の充電を行え、携帯性に優れた図１２に示すような携帯電話用電池が提案されている。
この携帯電話用電池７０としては、市販乾電池と同様に使い捨てタイプのものであり、例えば、市販されている単３、単４乾電池等の単＊乾電池と同じ形の乾電池型電池セルが複数収容された電池本体７１と、その電池本体７１の一端部に設けられ、電池セルからの電圧を携帯電話の使用電圧の許容電圧に調節する電圧調節部と、その電圧調節部の上部に設けられ、携帯電話のインターフェイスコネクタに嵌合されて電気的に接続される接続コネクタ７２とを備えたものである。
【０００５】
【発明が解決しようとする課題】
ところで、前述の携帯電話用充電池は、電池セルを電池本体に収容するセル収容工程と、電池本体に電圧調節部を取り付ける調節部取付工程と、調節部カバーを取り付けるカバー取付工程と、接続コネクタを取り付ける接続コネクタ取付工程と、の主に４つの工程を経て製造されるため、例えば、市販の００６Ｐ型（規格番号００６Ｐ型）乾電池の製造工程に比して、接続コネクタ取付工程を００６Ｐ型乾電池の製造における端子付カバーを取り付ける工程とみなしても、調節部取付工程とバー取付工程との工程が増えると共に、電圧調節部及び調節部カバー等の部品点数が増えるので、高価なものとなってしまう。また、電圧調節部を覆う調節カバーは、例えば２つに分割された合成樹脂製のものが用いられ、これらカバーを合わせてこの合わせたところをたとえば超音波接合等により接合すると、より高価なものになる。
【０００６】
そこで、本発明は、このような実情に鑑みなされたものであり、その目的は、安価に製造することができる携帯電子機器用充電池を提供することにある。
【０００７】
【課題を解決するための手段】
前記目的を達成するために、携帯電子機器の内蔵電池を充電する携帯電子機器用電池であって、００６Ｐ型乾電池に内蔵される多くとも５つの電池セルからなる給電源と、その給電源を収容すると共に００６Ｐ型乾電池に使用されているのとほぼ同一のケースと、前記給電源が収容されたケース内の残りの空間に収容され、該給電源から前記内蔵電池に供給される電圧を前記内蔵電池の許容電圧に調節する電圧調節部と、を備えたものである（請求項１）。
【０００８】
前記電池セルが乾電池型セルであり、この乾電池型セルが５つ直列接続されて前記給電源が構成されることが好ましい（請求項２）。
前記電圧調節部が、前記給電源からの電圧を所定レベル以下にするレギュレータを有することが好ましい（請求項３）。
前記ケースが金属製ケースであることが好ましい（請求項４）。
【０００９】
前記ケースのカバーに設けられ、前記携帯電子機器に嵌合されて電気的に接続され、その内蔵電池に前記電圧調節部で調節された電圧を供給する接続コネクタを備え、該接続コネクタに、当該接続コネクタの前記携帯電子機器からの抜出を抑制する抜出抑制部を一体的に設けることが好ましい（請求項５）。
【００１０】
このように構成することで、電池セル及びケースは、汎用されている００６Ｐ型乾電池に使用されているものを使い、かつ、給電源が収容されたケース内の空間に電圧調節部を収容するため、電圧調節部を覆うカバーが必要ないと共に、そのカバーを取り付けるカバー取付工程が不要であるので、安価に製造することができる。
【００１１】
【発明の実施の形態】
以下、本発明の実施の形態を添付図面に基づいて詳述する。
図１及び図２は本発明の携帯電子機器用充電池を示す図である。図１及び図２において、１は携帯電子機器用充電池を示し、この携帯電子機器用充電池１は、携帯電子機器（携帯電話）２の内蔵電池（図示せず）を充電するものである。
【００１２】
携帯電子機器２としては、例えば携帯電話、携帯情報端末（ＰＤＡ）、モバイルパソコン等の携帯パソコン、携帯ゲーム機等が挙げられ、好ましくは携帯電話であり、本発明の実施の形態では携帯電話について説明する。
【００１３】
携帯電話２には、通信データの送受信や内蔵されている充電可能な内蔵電池（バッテリー）の充電等を行えるようにインターフェイスコネクタ３（図５参照）が設けられている。
インターフェイスコネクタ３は、メス型のコネクタであり、このコネクタ３には、嵌合凹部４（図５参照）内に例えば１６個のコネクタ端子を有する端子部（図示せず）が嵌合凹部４の深さ方向に沿って立設されている。インターフェイスコネクタ３は、未使用時、ゴミ等が入らないようにカバー（図示せず）が装着されている。このインターフェイスコネクタ３に携帯電子機器用充電池１の接続コネクタ５が挿入されて嵌合される。
【００１４】
携帯電子機用充電池１は、００６Ｐ型（規格番号００６Ｐ型）乾電池に内蔵される多くとも５つの電池セル６からなる給電源７と、その給電源７を収容すると共に００６Ｐ型乾電池に使用されているものとほぼ同一のケース８と、給電源７が収容されたケース８内の残りの空間に収容され、この給電源７からの電圧を充電を行う携帯電子機器用充電池１の内蔵電池の許容電圧に調節する電圧調節部９と、ケース８の開口部を閉塞するカバー１０に設けられ、携帯電話２に電気的に接続されて、その内蔵電池に電圧調節部９で調節された電圧を供給する接続コネクタ５と、を備えてなる。
【００１５】
給電源７は、内蔵電池を充電する供給電源であり、市販されている００６Ｐ型の９Ｖ乾電池に内蔵されている１．５Ｖの電池セル６を多くとも５つ有するものであり、携帯電子機器用電池１が使いきりのいわゆる１次電池である。
【００１６】
電池セル６としては、００６Ｐ型乾電池に内蔵される１．５Ｖの電池セルであり、市販されている単１、単２、単３、単４乾電池の単＊乾電池とおなじタイプの乾電池型電池セル（市販はされていないが大きさを考慮すると単６乾電池）と、積層型電池セルとの２種類があり、どちらを用いてもよいが、乾電池型電池セルを用いることが好ましい。
電池セル６は、その数は５つ以下で、好ましくは５つである。複数の電池セル６の接続状態は特に限定されず直列、並列どのように接続してもよいが、例えば、５つの電池セル６の場合には直列接続することが好ましい。
【００１７】
ケース８としては、００６Ｐ型乾電池に使用されているものとほぼ同一のケースであり、好ましくは金属製のものがよい。すなわち、ケース８は、前記乾電池型電池セル６を３つずつ２列に６つ配置した状態でのみ収容し得る断面ほぼ矩形状の筒体状に形成される金属製のケース本体１１と、そのケース本体１１の一方の開口部である上部を上絶縁板１２を介して閉塞するほぼ矩形平板状のカバー１０と、ケース本体１１の他方の開口部である底部を下絶縁板１３を介して閉塞するほぼ矩形平板状の底板１４とからなる。
【００１８】
このケース８内に、５つの乾電池型電池セル６ａ、６ｂ、６ｃ、６ｄ、６ｅが３つと２つとに分けて収容、例えば、６つの電池セル６を収容した状態から側部の１つの電池セル６を抜き取った状態に収容される。
電池セルの配置は、例えば、３つ並んでいる乾電池型電池セル６ａ、６ｃ、６ｅがプラス極をカバー１０側になるように、残りの２つがプラス極を底板１４側になるようにケース８内にそれぞれ収容される。
【００１９】
３つ並んでいる乾電池型電池セル６ａ、６ｃ、６ｅは、ケース８内の空間に遠い方から第１、第３、第５電池セル６ａ、６ｃ、６ｅとすると共に、残りの電池セル６ｂ、６ｄが、同様にケース８内の空間に遠い方から第２、第４電池セルとする。
第１電池セル６ａのマイナス極と第２電池セル６ｂのプラス極とが平板端子１５で接続され、第２電池セル６ｂのマイナス極と第３電池セル６ｃのプラス極とが平板端子１６で接続される。同様に、第３電池セル６ｃのマイナス極と第４電池セル６ｄのプラス極とが平板端子１７で接続され、第４電池セル６ｄのマイナス極と第５電池セル６ｅのプラス極とが平板端子１８で接続され、５つの電池セル６ａ、６ｂ、６ｃ、６ｄ、６ｅが直列に接続された給電源７が構成される。
これら５つの乾電池型電池セル６ａ、６ｂ、６ｃ、６ｄ、６ｅ（給電源７）が収容されたケース８内の残りの空間に電圧調節部９が収容される。
【００２０】
電圧調節部９は、給電源７からの電圧を、充電を行う携帯電話２の内蔵電池の許容電圧に調節するものであり、具体的には例えば、５つの電池セル６ａ、６ｂ、６ｃ、６ｄ、６ｅが直列に接続されてなる給電源７からの７．５Ｖの電圧を約５．３Ｖに調節（整流）するレギュレータや抵抗等により構成される。また、給電源７からの電圧が内蔵電池の電圧より低い場合には昇圧回路等で構成される。
【００２１】
電圧調節部９は、乾電池型電池セル６ａ、６ｂ、６ｃ、６ｄ、６ｅ（給電源７）が収容されたケース８内の残りの空間に収容することができるならば、どのように構成してもよく、例えば、乾電池型電池セル６の直径より幅が狭く、長手方向の長さが乾電池型電池セル６の軸方向の長さ以下である細長の矩形平板状の回路基板１９からなり、また、この回路基板１９と共に回路基板１９とほぼ同形状に形成され、回路基板１９の熱を放熱する放熱絶縁板２０とを有するものが好ましい。
【００２２】
回路基板１９には、例えば、レギュレータ、抵抗、トランジスタ、ダイオード等が複数取り付けられている。回路基板１９の一方の端部（ケース８の底板１４側に位置される端部）の近傍には第１接続端子２１が設けられ、この接続端子２１に、第５電池セル６ｅのマイナス極に接続される平板端子２２が半田付け等により接続される。回路基板１９の残りの端部には、第２接続端子２３と、２つのスイッチ端子２４、２５にそれぞれ接続される第３、第４接続端子２６、２７とが設けられている。
【００２３】
レギュレータは、それ自体で給電源７から供給される電圧を所定電圧に下げて出力するものであり、例えば、給電源７からの７．５Ｖの電圧をそのまま内蔵電池に供給して充電を行う場合、内蔵電池に許容された規定電圧値を超えていると、内蔵電池が壊れることもあり得るので、これを防止するために設けるものである。
【００２４】
また、レギュレータは、携帯電話２の内蔵電池から携帯電子機器用充電池１の方に電流が逆流してくるのを防止する機能もを有している。すなわち、充電中に、給電源７の電池としての残量が少なくなった場合やその残量が少ない場合には、給電源７の電圧より内蔵電池の電圧の方が高くなり、電流の流れが逆になることを防止するものである。
【００２５】
また、レギュレータを用いることなく、トランジスタ、抵抗、ダイオード等を用いてレギュレータとほぼ同じ機能（電圧を所定電圧に下げて調節すると共に、電圧の逆流を防止する機能）を持たせるようにしてもよく、この回路の一例としては、具体的には例えば、図３に示すようになる。
【００２６】
すなわち、直列接続した５つの電池セル６ａ、６ｂ、６ｃ、６ｄ、６ｅからなる給電源７のプラス極とプラス端子２８との間には、順次トランジスタ２９と抵抗３０とが接続されている。このトランジスタ２９は、給電源７のプラス極がコレクタに、プラス端子２８（抵抗３０）がエミッタに接続されてなる。給電源７のプラス極は、抵抗３１を介してトランジスタ２８のベースに接続されている。給電源７のマイナス極とマイナス端子３２との間には、スイッチ３３が接続されている。マイナス端子３２は、ダイオード３４及び抵抗３５を介してトランジスタ２９のベースに接続されている。また、マイナス端子３２は、抵抗３６を介してトランジスタのエミッタに接続されている。これにより、７．５Ｖの電圧を約５．３Ｖに調節（整流）するようになっている。
【００２７】
また、ケース８内には、図２に示すように、第３接続端子２６に接続される第１スイッチ端子２４と、第４接続端子２７に接続される第２スイッチ端子２５とが収容されると共に、第１乾電池型電池セル６ａのプラス極に接続されるプラス端子２８と、回路基板１９の第２接続端子２３に接続されるマイナス端子３２とが収容される。
【００２８】
第１、第２スイッチ端子２４、２５は、上絶縁板１２とカバー１０とによって挟持されて固定されるものであり、互いに重ね合わされて上絶縁板１２とカバー１０とによって挟持される平板状の平板端子部２４ａ、２５ａと、平板端子部２４ａ、２５ａに一体的に設けられ、それぞれ上絶縁板１２の第３、第４貫通孔３９、４０を介して第３、第４接続端子２６、２７に電気的に接続される端子部２４ｂ、２５ｂとからなる。
【００２９】
第１、第２スイッチ端子２４、２５の平板端子部２４ａ、２５ａのほぼ中央部には、それぞれほぼ円形に突出する突出部２４ｃ、２５ｃが設けられ、これら平板端子部２４ａ、２５ａが互いに確実に電気的に接触するようになっている。これら平板端子部２４ａ、２５ａ間には、製造時、図示するように、絶縁体例えば紙４１の一部を位置させると共に、この紙４１の残部の一部をケース８の外部に露出させ、この露出部をカバー１０に沿ってケース８から離間する方向に引張ることにより、紙（絶縁体）４１が取り除かれて平板端子部２４ａ、２５ａが互いに電気的に接触するようになっている。
【００３０】
プラス及びマイナス端子２８、３２は、上絶縁板１２とカバー１０とによって挟持されて主に固定されるものであり、上絶縁板１２とカバー１０とによって挟持される平板状の平板端子部２８ａ、３２ａと、平板端子部２８ａ、３２ａに一体的に設けられ、それぞれ上絶縁板１２の第１、第２貫通孔３７、３８を介して第１乾電池型電池セル６ａのプラス極、第２接続端子２３に電気的に接続される接続端子部２８ｂ、３２ｂと、平板端子部２８ａ、３２ａに一体的に設けられ、携帯電話２のインターフェイスコネクタ３の任意のコネクタ端子と接触して電気的に接続されると共に、接続コネクタ５に装着される接続端子２８ｃ、３２ｃとからなる。
【００３１】
接続コネクタ５は、カバー１０の表面に一体的又は個別に固着され、例えば合成樹脂によりに形成されている。
接続コネクタ５は、オス型のコネクタであり、断面ほぼ細長の矩形状に形成され、インターフェイスコネクタ３の端子部が嵌合される端子凹部４２が設けられている。端子凹部４２には、プラス及びマイナス端子の接続端子２８ｃ、３２ｃが装着される端子装着部４３（図４参照）が設けられており、端子凹部４２に端子部が嵌合されたとき、端子装着部４３に装着された接続端子２８ｃ、３２ｃと端子部の特定のコネクタ端子（内蔵電池の外部出入力端子（給電端子））とが電気的に接続されて、内蔵電池の充電が行えるようになっている。
なお、プラス及びマイナス端子２８、３２の接続端子２８ｃ、３２ｃには、外部出入力端子との接続が確実に行われるように端子凹部４２の内側に突出する突部を設けるようにしてもよい。
【００３２】
接続コネクタ５の壁部であって幅（ケース８の長手方向と直交する方向の長さ）の長い両壁部（両長壁部）５ａには、インターフェイスコネクタ３の嵌合凹部４を形成する長壁４ａ（図５参照）とそれぞれ嵌合し得るようにその長壁４ａに対応して溝や突出した部分が複数設けられている。つまり、接続コネクタ５を嵌合凹部４に挿入して嵌合するとき、長壁部５ａを逆に挿入しようとしても挿入できないような一方向の挿入のみを許容する嵌合形状に両長壁部５ａが形成されている。
【００３３】
接続コネクタ５には、インターフェイスコネクタ３に挿嵌したとき、接続コネクタ５（携帯電子機器用電池１）がインターフェイスコネクタ３から抜け難苦する抜出抑制部４４が設けられている。
抜出抑制部４４は、どのように構成してもよく、例えば、接続コネクタ５の残りの両壁部（両短壁部５ｂ）に、インターフェイスコネクタ３の嵌合凹部４を形成する内壁と係合して接続コネクタ５を係止する係止部４５をそれぞれ一体的に設けて構成するようにしてもよいし、金属製の例えば断面ほぼρ状の可撓可能な係止部を設けて構成するようにしてもよい。
【００３４】
係止部４５は、嵌合方向に沿って延在すると共に、短壁部５ｂ内に可撓可能に形成される。係止部４５が一体的に設けられる場合には、係止部４５の外表面に、断面ほぼ半円形状の突部（係合突部）４５ａが設けられ、この突部４５ａが嵌合凹部４２の内壁の係合部（図示せず）と係合し、また、別部材の係止部を設ける場合には、短壁部から突出している部分が嵌合凹部の内壁の係合部と係合し、接続コネクタ５（携帯電子機器用電池１）がインターフェイスコネクタ３から抜け難くなっている。なお、通常、インターフェイスコネクタ３を形成する内壁には、専用充電器やＡＣアダプタ等に設けられているオス型コネクタ部の係合突部と係合する係合凹部が設けられているため、嵌合させたとき、この係合凹部と係合する位置及び大きさに突部又は突出している部分を形成するようにすることが好ましい。
【００３５】
抜出抑制部４４としては、係止部４５を設けて構成してもよいが、図４に示すように、接続コネクタ５に、接続コネクタ５を例えば短壁部５ｂのほぼ中央部で２つに分割するように長壁部５ａに沿って延在し、長壁部５ａ間の間隔（長壁部５ａの外表面の間隔（短壁部５ｂの幅））を可変させるべく長壁部５ａを可撓可能にするスリット４６を設けると共に、長壁部５ａ間の寸法（間隔）ａ（図５参照）が、対応するインターフェイスコネクタ３の嵌合凹部４の長壁４ａ間の寸法（間隔）ｂ（図５参照）より大きく、かつ、長壁部５ａを可撓させて長壁部５ａ間の間隔を小さくしたときこの間隔が長壁４ａ間の間隔より小さくなる寸法に形成して構成することが好ましい。
【００３６】
スリット４６は、長壁部５ａ間の間隔を可撓させて（弾性変形により）長壁４ａ間の間隔より小さくし得るものであり、スリット４６の幅及び長壁部５ａ間の間隔は、長壁部５ａ間の間隔を弾性変形により嵌合凹部４の長壁４ａの幅以下にする範囲から任意にそれぞれ決められる。
【００３７】
このように、抜出抑制部４４としてスリット４６等により構成する場合、接続コネクタ５に、嵌合凹部４への挿嵌が容易に行えるように嵌合案内部４７を設けることが好ましい。
嵌合案内部４７は、どのように構成してもよく、例えば、両長壁部５ａの先端部（嵌合方向先端部）の側端部に、図５に示すように、嵌合凹部４内へと案内する傾斜面４８をそれぞれ形成して構成するようにしてもよい。傾斜面４８の先端部間の幅ｃは、対応する嵌合凹部４の長壁４ａ間の幅（間隔）ｂより小さく形成するようにする。この傾斜面４８と共に、両短壁部５ｂの先端部の側端部に、ほぼ同様に嵌合凹部４内へと案内する傾斜面をそれぞれ形成することが好ましい。
傾斜面４８の形状は、例えば、ＲやＣ面（平面）状に形成される。
【００３８】
また、嵌合案内部４７としては、図６に示すように、両長壁部５ａ全体を先端部にいくに連れてそれぞれ内方に漸次傾斜する傾斜面５４に形成して構成するようにしてもよい。この長壁部５ａの先端部間の幅は、対応する嵌合凹部４の長壁４ａ間の幅（間隔）ｂより小さく形成するようにする。この傾斜面５４と共に、両短壁部５ｂ全体も先端部にいくに連れてそれぞれ内方に傾斜するように傾斜面５５として形成してもよい。
【００３９】
また、嵌合案内部４７としては、図７及び図８に示すように、両長壁部５ａ全体に段差５０を１段又は２段以上（図示例では２段）設けて構成するようにしてもよい。このように段差５０を設ける場合には、先端部の長壁部５ａの幅は、対応する嵌合凹部４の長壁４ａ間の幅（間隔）ｂより小さく形成するようにする。この段差５０だけでもいいが、両短壁部５ｂにも同様に段差５１を１段又は２段以上設けてもよい。また、段差５０、５１を設けた場合には、段差５０、５１が設けられた部分を先端部側に漸次傾斜させた傾斜面５２、５３を設けるようにすることが好ましく、このように傾斜面５２、５３を設けることにより、段差５０、５１の部分がスムーズに嵌合凹部４内に挿入されることになる。
【００４０】
また、嵌合案内部４７としては、例えば図９乃至図１１に示すように、長壁部５ａの平面部（断面直線状の部分）５ｃの形状のみを案内形状に形成して構成するようにしてもよい。すなわち、図９に示すように、長壁部５ａの平面部５ｃの先端部を嵌合方向とほぼ平行に延在する平面状に形成すると共に、残りの部分を先端部にいくに連れてそれぞれ内方に漸次傾斜する傾斜面５６として形成して、嵌合案内部４７を構成するようにしてもよい。また、図１０に示すように、長壁部５ａの平面部５ｃの嵌合方向のほぼ中央部又はほぼ中央部より先端部側に段差５７を設けると共に、この段差５７の先端部側を先端部側に漸次傾斜させた傾斜面５８にして、嵌合案内部４７を構成するようにしてもよい。また、図１１に示すように、長壁部５ａの平面部５ｃに段差５９を２段以上例えば２段設けて、嵌合案内部４７を構成するようにしてもよい。これら段差５９の位置は、好ましくは、嵌合方向のほぼ中央部からカバー１０側（先端部とは反対側）である。これらのように、長壁部５ａの平面部５ｃを案内形状に形成した場合には、先端部の長壁部５ａの幅は、対応する嵌合凹部４の長壁４ａ間の幅（間隔）ｂより小さく形成するようにする。
【００４１】
さて、この携帯電子機用充電池１を製造するには、まず、図２に示すように、底板１４上に下絶縁板１３を介して、第１、第３、第５電池セル６ａ、６ｃ、６ｅをマイナス極が底板１４側になるように、第２、第４電池セル６ｂ、６ｄがプラス極が底板１４側になるように位置させる。このとき、第１電池セル６ａのマイナス極と第２電池セル６ｂのプラス極とを平板端子１５で接続し、第２電池セル６ｂのマイナス極と第３電池セル６ｃのプラス極とを平板端子１６で接続し、第３電池セル６ｃのマイナス極と第４電池セル６ｄのプラス極とを平板端子１７で接続し、かつ、第４電池セル６ｄのマイナス極と第５電池セル６ｅのプラス極とを平板端子１８で接続して、５つの電池セル６ａ、６ｂ、６ｃ、６ｄ、６ｅが直列に接続された給電源７が構成される。また、この給電源７を収容したときのケース８内の残りの空間に対応する位置に電圧調節部９である回路基板１９を位置させると共に、回路基板１９の第１接続端子２１に接続されている平板端子２２を第５電池セル６ｅのマイナス極に接続する。
【００４２】
この給電源７上に、上絶縁板１２を配置する。このとき、第１電池セル６ａのプラス極に２つに折り曲げたような平板端子５４を接続し、プラス端子２８の接続端子部２８ｂを第１貫通孔３７に挿入して、平板端子部２８ａを上絶縁体１２に当接させると共に、接続端子部２８ｂを平板端子５４と上絶縁板１２との間に位置させて、プラス端子２８と第１電池セル６ａのプラス極とを電気的に接続させる。また、マイナス端子３２の接続端子部３２ｂを第２貫通孔３８に挿入して、平板端子部３２ａを上絶縁体１２に当接させると共に、接続端子部３２ｂを回路基板１９の第２接続端子２３に電気的に接続させる。また、第１、第２スイッチ端子２４、２５の端子部２４ｂ、２５ｂを第３、第４貫通孔３９、４０にそれぞれ挿入して、平板端子部２４ａ、２５ａを絶縁体である紙４１を介して積層した（重ね合わせた）状態で上絶縁体１２に当接させると共に、端子部２４ｂ、２５ｂを回路基板１９の第３、第４接続端子２６、２７にそれぞれ電気的に接続させる。
この上絶縁板１２に、接続コネクタ５を有するカバー１０を被せる。このとき、プラス端子２８及びマイナス端子３２の接続端子２８ｃ、３２ｃが接続コネクタ５の端子装着部４３、４３にそれぞれ装着される。
【００４３】
そして、これら底板１４、下絶縁板１３、給電源７（電池セル６ａ、６ｂ、６ｃ、６ｄ、６ｅ）・回路基板１９、上絶縁板１２、プラス端子２８・マイナス端子３２・第１、第２スイッチ端子２４、２５、カバー１０を順次積層したものの側部（積層方向と直交する部分）をケース本体１１となる金属板を巻き付けた後、この金属板の繋ぎ目（合せ目）、カバー１０及び底板１４の縁部を加締めることにより、携帯電子機用充電池１が得られる。このように得られた携帯電子機用充電池１を用いて携帯電話２の充電を行うには、携帯電話２のインターフェイスコネクタ３の嵌合凹部４に携帯電子機用充電池１の接続コネクタ５をつき合わせて、接続コネクタ５を嵌合凹部４内に挿入して嵌合する。プラス及びマイナス端子２８、３２と端子部の特定のコネクタ端子（内蔵電池の外部出入力端子（給電端子））とが電気的に接続されて、内蔵電池（バッテリー）の充電が行われる。このとき、抜出抑制部４４が接続コネクタ５に設けられているので（例えば係止部４５がインターフェイスコネクタ３を形成する内壁に設けられている係合凹部と係合するので）、接続コネクタ５（携帯電子機器用電池１）がインターフェイスコネクタ３から抜け難くくなる。
【００４４】
したがって、本発明の携帯電子機用充電池１は、電池セル６及びケース８が汎用されている００６Ｐ型乾電池に使用されているものを使い、かつ、給電源７が収容されたケース８内の空間に電圧調節部９を収容するため、電圧調節部９を覆うカバーが必要ないと共に、そのカバーを取り付けるカバー取付工程が不要であり、安価に製造することができ、しかも、汎用されている００６Ｐ型乾電池の製造装置を使用することができ、工業的価値が高いものとなる。
【００４５】
また、電池セル６ａ、６ｂ、６ｃ、６ｄ、６ｅを５つ直列接続して給電源７を構成することにより、携帯電話２の内蔵電池の許容電圧の多くが７．５Ｖ未満であるので、高価な昇圧回路を用いなくてもよい。
また、電圧調節部９として給電源７からの電圧を所定レベル以下にするレギュレータを用いることにより、レギュレータは電圧の逆流を防止する機能をも有するので、簡単な構造で逆流防止も図れる携帯電子機用充電池１が得られる。
また、ケース８が金属製ケースであると、ケース８内の熱がケース８を介して放熱されやすいので、ケース８内の回路基板１９が熱により破損する心配もない。
【００４６】
また、抜出抑制部４４が接続コネクタ５に一体的に設けられる係止部４５やスリット４６等で構成することで、例えば、接続コネクタ５とは別部材である金属製の断面ほぼρ状の可撓可能な係止部を設ける場合に比して、別部材の係止部を接続コネクタに取り付ける取付作業や部品点数が増えることがないので、より安価に製造することができる。
【００４７】
具体的には、抜出抑制部４４をスリット４６等で構成して嵌合案内部４７を設けることにより、接続コネクタ５の長壁部５ａの幅ａが、対応する嵌合凹部４の長壁４ｂの幅ｂより大きく形成されていても、嵌合案内部４７が設けられている（例えば長壁部５ａの嵌合方向先端部の側端部にＣ面等の傾斜面４８が設けられたり、長壁部５ａに傾斜面５４、５５、５６を設けたり、段差５０、５１、５７、５９を設けたり等する）ので、接続コネクタ５は嵌合凹部４内へと案内挿入される。すなわち、嵌合凹部４内に先端部が挿入された接続コネクタ５（携帯電子機用充電池１）を嵌合方向前方に押し込むと、接続コネクタ５は、嵌合凹部４を形成する壁に接触してその押圧力によりスリット４６を介して弾性変形しつつ嵌合凹部４内に挿入されて嵌合される。
【００４８】
言いかえれば、スリット４６の幅が狭く（長壁部４ａの幅ａが狭く）なりながら接続コネクタ５は嵌合凹部４内に挿入されて嵌合される。嵌合凹部４に嵌合された接続コネクタ５は、嵌合凹部４内で付勢力により元の形状に戻ろうとして、嵌合凹部４を形成する内壁に当接しているので、接続コネクタ５がインターフェイスコネクタ３の嵌合凹部４に係止される。
【００４９】
従って、別部材の板ばね等の係止部を接続コネクタ５に取り付けることなく、接続コネクタ５をインターフェイスコネクタ３に係止させることができるため、係止部の取付作業が不要であると共に別途の係止部を必要とせず、簡単にかつ低コストで接続コネクタ５や携帯電子機用充電池１を製造することができる。
【００５０】
また、嵌合凹部４内で付勢力により元の形状に戻ろうとして、嵌合凹部４の内壁に当接する壁部は、長壁部５ａで面積が大きいため、長壁部５ａと嵌合凹部４の内壁との摩擦力も大きくなる（短壁部５ｂが接触している場合に比して）ので、接続コネクタ５が嵌合凹部４から一層抜け難くなり、接続コネクタ５（携帯電子機用充電池１）をインターフェイスコネクタ３により確実に係止することができる。
【００５１】
【発明の効果】
本発明によれば、安価に製造することができる携帯電子機器用電池が得られる。
【図面の簡単な説明】
【図１】本発明の携帯電話用充電池の一例を示す斜視図である。
【図２】本発明の携帯電話用充電池の一例を示す分解斜視図である。
【図３】本発明の電圧調節部の一例を示す構成図である。
【図４】本発明の第２の接続コネクタの一例を示す斜視図である。
【図５】本発明の第２の接続コネクタと嵌合凹部との関係を示す図である。
【図６】本発明の第３の接続コネクタの一例を示す斜視図である。
【図７】本発明の第４の接続コネクタの一例を示す斜視図である。
【図８】本発明の第５の接続コネクタの一例を示す斜視図である。
【図９】本発明の第６の接続コネクタの一例を示す斜視図である。
【図１０】本発明の第７の接続コネクタの一例を示す斜視図である。
【図１１】本発明の第８の接続コネクタの一例を示す斜視図である。
【図１２】先に提案されている携帯電話用充電池を示す斜視図である。
【符号の説明】
１　　携帯電子機器用電池
２　　携帯電話（携帯電子機器）
６　　電池セル
７　　給電源
８　　ケース
９　　電圧調節部
４４　抜出抑制部
【図１】
2004014496.tif 000003
【図２】
2004014496.tif 000004
【図３】
2004014496.tif 000005
【図４】
2004014496.tif 000006
【図５】
2004014496.tif 000007
【図６】
2004014496.tif 000008
【図７】
2004014496.tif 000009
【図８】
2004014496.tif 000010
【図９】
2004014496.tif 000011
【図１０】
2004014496.tif 000012
【図１１】
2004014496.tif 000013
【図１２】
2004014496.tif 000014